(57)【要約】【構成】  省電力モードおよび消費電力が制限されない通常モードを有する画像形成装置（１０）であって、画像形成装置（１０）はタッチパネル（２０）付きのディスプレイ（２２）およびＣＰＵ（１２）を含み、ＣＰＵ（１２）の指示の下、タッチパネル（２０）付きのディスプレイ（２２）に通常モードから省電力モードへの切替を禁止するための省電力禁止アイコンが表示され、省電力禁止アイコンがタッチされて省電力モードへの切り替えが禁止された後に、最初に実行されたジョブが終了したと判断されたときに、省電力モードへの切替の禁止が解除される。【効果】  効率的に省電力化を図ることができる。【選択図】  図５
2018013548.tif 000002
【特許請求の範囲】
【請求項１】
消費電力が所定値以下に制限される省電力状態および消費電力が制限されない通常状態を有する画像形成装置であって、
所定の条件を満たす場合に、前記画像形成装置を前記通常状態と前記省電力状態との間で切り替える切替手段、
前記画像形成装置が前記通常状態である場合に、前記切替手段による前記切替を禁止するための切替の禁止の指示が有るかどうかを判断する判断手段、
前記判断手段において、前記切替の禁止の指示が有ると判断された場合、前記切替手段による前記切替を一時的に禁止する禁止手段、および
前記画像形成装置におけるジョブが終了したときに、前記禁止手段によって禁止された前記切替の禁止を解除する解除手段を備える、画像形成装置。
【請求項２】
前記入力手段が、表示面を有する表示手段および当該表示手段の当該表示面上に設けられたタッチパネルを含み、前記切替の禁止の指示をするための指示キーを当該表示手段の当該表示面に表示させ、
前記判断手段が、前記タッチパネルの出力に応じて、前記指示キーが操作された場合に、前記切替の禁止の指示が有ると判断する、請求項１記載の画像形成装置。
【請求項３】
前記入力手段が、前記切替の禁止の指示をするかどうかをユーザに選択させるための選択画面を、前記表示手段の前記表示面に表示させ、
前記選択画面が、前記指示キーを含み、前記表示手段の前記表示面の最前面に表示される、請求項２記載の画像形成装置。
【請求項４】
前記入力手段が、前記切替手段によって前記省電力状態から前記通常状態に切り替えられたときに、前記選択画面を前記表示手段の前記表示面に表示させる、請求項３記載の画像形成装置。
【請求項５】
消費電力が所定値以下に制限される省電力状態および消費電力が制限されない通常状態を有する画像形成装置であって、
所定の条件を満たす場合に、前記画像形成装置を前記通常状態と前記省電力状態との間で切り替える切替を行う切替手段、
前記画像形成装置が前記通常状態である場合に、前記切替手段による前記切替を禁止するための切替の禁止の指示が有るかどうかを判断する判断手段、
前記判断手段において、前記切替の禁止の指示が有ると判断された場合、前記切替手段による前記切替を所定時間が経過するまで禁止する禁止手段、および
前記所定時間が経過したときに、前記禁止手段によって禁止された前記切替の禁止を解除する解除手段を備える、画像形成装置。
【請求項６】
前記入力手段が、表示面を有する表示手段および当該表示手段の当該表示面上に設けられたタッチパネルを含み、前記切替の禁止の指示をするための指示キーを当該表示手段の当該表示面に表示させ、
前記判断手段が、前記タッチパネルの出力に応じて、前記指示キーが操作された場合に、前記切替の禁止の指示が有ると判断する、請求項５記載の画像形成装置。
【請求項７】
前記入力手段が、前記切替の禁止の指示をするかどうかをユーザに選択させるための選択画面を、前記表示手段の前記表示面に表示させ、
前記選択画面が、前記指示キーを含み、前記表示手段の前記表示面の最前面に表示される、請求項６記載の画像形成装置。
【請求項８】
前記入力手段が、前記切替手段によって前記省電力状態から前記通常状態に切り替えられたときに、前記選択画面を前記表示手段の前記表示面に表示させる、請求項７記載の画像形成装置。
【請求項９】
消費電力が所定値以下に制限される省電力状態および消費電力が制限されない通常状態を有する画像形成装置の制御プログラムであって、
前記画像形成装置のコンピュータを、
所定の条件を満たす場合に、前記画像形成装置を前記通常状態と前記省電力状態との間で切り替える切替を行う切替手段、
前記画像形成装置が前記通常状態である場合に、前記切替手段による前記切替を禁止するための切替の禁止の指示が有るかどうかを判断する判断手段、
前記判断手段において、前記切替の禁止の指示が有ると判断された場合、前記切替手段による前記切替を一時的に禁止する禁止手段、および
前記画像形成装置におけるジョブが終了したときに、前記禁止手段によって禁止された前記切替の禁止を解除する解除手段として機能させる、画像形成装置の制御プログラム。
【請求項１０】
消費電力が所定値以下に制限される省電力状態および消費電力が制限されない通常状態を有する画像形成装置の制御プログラムであって、
前記画像形成装置のコンピュータを、
所定の条件を満たす場合に、前記画像形成装置を前記通常状態と前記省電力状態との間で切り替える切替を行う切替手段、
前記画像形成装置が前記通常状態である場合に、前記切替手段による前記切替を禁止するための切替の禁止の指示が有るかどうかを判断する判断手段、
前記判断手段において、前記切替の禁止の指示が有ると判断された場合、前記切替手段による前記切替を所定時間が経過するまで禁止する禁止手段、および
前記所定時間が経過したときに、前記禁止手段によって禁止された前記切替の禁止を解除する解除手段として機能させる、画像形成装置の制御プログラム。
【請求項１１】
消費電力が所定値以下に制限される省電力状態および消費電力が制限されない通常状態を有する画像形成装置の制御方法であって、
前記画像形成装置のコンピュータは、
（ａ）所定の条件を満たす場合に、前記画像形成装置を前記通常状態と前記省電力状態との間で切り替える切替を行うステップ、
（ｂ）前記画像形成装置が前記通常状態である場合に、前記ステップ（ａ）での前記切替を禁止するための切替の禁止の指示が有るかどうかを判断するステップ、
（ｃ）前記ステップ（ｂ）で前記切替の禁止の指示が有ると判断された場合、前記ステップ（ａ）での前記切替を一時的に禁止するステップ、そして
（ｄ）前記画像形成装置におけるジョブが終了したときに、前記ステップ（ｃ）で禁止された前記切替の禁止を解除するステップを含む、画像形成装置の制御方法。
【請求項１２】
消費電力が所定値以下に制限される省電力状態および消費電力が制限されない通常状態を有する画像形成装置の制御方法であって、
前記画像形成装置のコンピュータは、
（ａ）所定の条件を満たす場合に、前記画像形成装置を前記通常状態と前記省電力状態との間で切り替える切替を行うステップ、
（ｂ）前記画像形成装置が前記通常状態である場合に、前記ステップ（ａ）での前記切替を禁止するための切替の禁止の指示が有るかどうかを判断するステップ、
（ｃ）前記ステップ（ｂ）で前記切替の禁止の指示が有ると判断された場合、前記ステップ（ａ）での前記切替を所定時間が経過するまで禁止するステップ、そして
（ｄ）前記所定時間が経過したときに、前記ステップ（ｃ）で禁止された前記切替の禁止を解除するステップを含む、画像形成装置の制御方法。
【発明の詳細な説明】
【技術分野】
【０００１】
この発明は、画像形成装置、制御プログラムおよび制御方法に関し、特にたとえば、消費電力が制限される省電力状態および消費電力が制限されない通常状態を有する、画像形成装置、制御プログラムおよび制御方法に関する。
【背景技術】
【０００２】
背景技術の画像形成装置の一例が特許文献１に開示される。この特許文献１の画像形成装置は、省電力モードへ移行する機能を有し、省電力モード移行禁止キーを備える。この背景技術の画像形成装置は、省電力モード移行禁止キーが操作された場合に省電力モードへの移行を禁止する。また、この画像形成装置には、自動原稿給送装置と、自動原稿給送装置の排紙部の用紙の有無を検知する紙面センサとが設けられる。さらに、この画像形成装置では、省電力モードへの移行が禁止されている状態で、紙面センサが自動原稿給送装置の排紙部に用紙が有る状態から無い状態になったことを検知した場合に、省電力モードへの移行禁止が解除される。
【先行技術文献】
【特許文献】
【０００３】
【特許文献１】特開２００３−０１５４７９号公報
【発明の概要】
【発明が解決しようとする課題】
【０００４】
この背景技術の画像形成装置では、自動原稿給送装置の排紙部に用紙が有る状態から無い状態になったときに、省電力モードへの移行禁止が解除される。しかしながら、背景技術の画像形成装置では、ユーザが排紙部から用紙を取り忘れた場合には、排紙部に用紙が有る状態が維持されるので、省電力モードへの移行禁止が解除されない。また、画像読取装置において原稿のスキャンをするだけの場合には、排紙部に用紙が搬送されないので、排紙部に用紙が有る状態になることがなく、省電力モードへの移行禁止が解除されない。
【０００５】
このように、背景技術の画像形成装置では、省電力モードへの移行禁止が解除されない可能性がある。省電力モードへの移行禁止が解除されないと、無駄な電力が消費されてしまうという問題がある。
【０００６】
したがって、背景技術の画像形成装置では、効率的に省電力化を図ることができないため、改善の余地がある。
【０００７】
それゆえに、この発明の主たる目的は、新規な、画像形成装置、制御プログラムおよび制御方法を提供することである。
【０００８】
この発明の他の目的は、効率的に省電力化を図ることができる、画像形成装置、制御プログラムおよび制御方法を提供することである。
【課題を解決するための手段】
【０００９】
第１の発明は、消費電力が所定値以下に制限される省電力状態および消費電力が制限されない通常状態を有する画像形成装置であって、切替手段、判断手段、禁止手段および解除手段を備える。切替手段は、所定の条件を満たす場合に、画像形成装置を通常状態と省電力状態との間で切り替える。判断手段は、画像形成装置が通常状態である場合に、切替手段による切替を禁止するための切替の禁止の指示が有るかどうかを判断する。禁止手段は、判断手段において、切替の禁止の指示が有ると判断された場合、切替手段による切替を一時的に禁止する。解除手段は、画像形成装置におけるジョブが終了したときに、禁止手段によって禁止された切替の禁止を解除する。
【００１０】
第１の発明によれば、省電力状態への切り替えが禁止された後に、最初に実行されたジョブが終了したときに、省電力状態への切替の禁止が解除されるので、確実に省電力状態への切替の禁止が解除される。したがって、無駄な電力を消費してしまうことを防止し、効率的に省電力化を図ることができる。また、第１の発明によれば、少なくとも最初のジョブが終了するまでは省電力状態へ切り替えられることはないので、最初のジョブが終了するまでジョブの設定などがリセットされたりすることがなく、使い勝手が良い。
【００１１】
第２の発明は、第１の発明に従属する画像形成装置であって、入力手段が、表示面を有する表示手段および当該表示手段の当該表示面上に設けられたタッチパネルを含み、切替の禁止の指示をするための指示キーを当該表示手段の当該表示面に表示させ、判断手段が、タッチパネルの出力に応じて、指示キーが操作された場合に、切替の禁止の指示が有ると判断する。
【００１２】
第２の発明によれば、切替の禁止の指示をするための指示キーが表示手段の表示面に表示されるので、初めて画像形成装置を利用するユーザが、簡単に省電力状態への切替の禁止の指示を行うことができる。
【００１３】
第３の発明は、第２の発明に従属する画像形成装置であって、入力手段が、切替の禁止の指示をするかどうかをユーザに選択させるための選択画面を、表示手段の表示面に表示させ、選択画面が、指示キーを含み、表示手段の表示面の最前面に表示される。
【００１４】
第３の発明によれば、切替の禁止の指示をするかどうかをユーザに選択させるための選択画面が、表示手段の表示面の最前面に表示されるので、初めて画像形成装置を利用するユーザが、簡単に省電力状態への切替の禁止の指示を行うことができる。
【００１５】
第４の発明は、第３の発明に従属する画像形成装置であって、入力手段が、切替手段によって省電力状態から通常状態に切り替えられたときに、選択画面を表示手段の表示面に表示させる。
【００１６】
第４の発明によれば、通常状態が開始されたときに、選択画面を表示手段の表示面に表示させるので、初めて画像形成装置を利用するユーザが、簡単に省電力状態への切替の禁止の指示を行うことができる。
【００１７】
第５の発明は、消費電力が所定値以下に制限される省電力状態および消費電力が制限されない通常状態を有する画像形成装置であって、切替手段、判断手段、禁止手段および解除手段を備える。切替手段は、所定の条件を満たす場合に、画像形成装置を通常状態と省電力状態との間で切り替える。判断手段は、画像形成装置が通常状態である場合に、切替手段による切替を禁止するための切替の禁止の指示が有るかどうかを判断する。禁止手段は、判断手段において、切替の禁止の指示が有ると判断された場合、所定時間が経過するまで切替手段による切替を禁止する。解除手段は、所定時間が経過したときに、禁止手段によって禁止された切替の禁止を解除する。
【００１８】
第５の発明によれば、省電力状態への切り替えが禁止された後に、所定時間が経過したときに、省電力状態への切替の禁止が解除されるので、確実に省電力状態への切替の禁止が解除される。したがって、無駄な電力を消費してしまうことを防止し、効率的に省電力化を図ることができる。
【００１９】
第６の発明は、第５の発明に従属する画像形成装置であって、入力手段が、表示面を有する表示手段および当該表示手段の当該表示面上に設けられたタッチパネルを含み、切替の禁止の指示をするための指示キーを当該表示手段の当該表示面に表示させ、判断手段が、タッチパネルの出力に応じて、指示キーが操作された場合に、切替の禁止の指示が有ると判断する。
【００２０】
第６の発明によれば、切替の禁止の指示をするための指示キーが表示手段の表示面に表示されるので、初めて画像形成装置を利用するユーザが、簡単に省電力状態への切替の禁止の指示を行うことができる。
【００２１】
第７の発明は、第６の発明に従属する画像形成装置であって、入力手段が、切替の禁止の指示をするかどうかをユーザに選択させるための選択画面を、表示手段の表示面に表示させ、選択画面が、指示キーを含み、表示手段の表示面の最前面に表示される。
【００２２】
第７の発明によれば、切替の禁止の指示をするかどうかをユーザに選択させるための選択画面が、表示手段の表示面の最前面に表示されるので、初めて画像形成装置を利用するユーザが、簡単に省電力状態への切替の禁止の指示を行うことができる。
【００２３】
第８の発明は、第７の発明に従属する画像形成装置であって、入力手段が、切替手段によって省電力状態から通常状態に切り替えられたときに、選択画面を表示手段の表示面に表示させる。
【００２４】
第８の発明によれば、通常状態が開始されたときに、選択画面を表示手段の表示面に表示させるので、初めて画像形成装置を利用するユーザが、簡単に省電力状態への切替の禁止の指示を行うことができる。
【００２５】
第９の発明は、消費電力が所定値以下に制限される省電力状態および消費電力が制限されない通常状態を有する画像形成装置の制御プログラムであって、画像形成装置のコンピュータを、所定の条件を満たす場合に、画像形成装置を通常状態と省電力状態との間で切り替える切替手段、画像形成装置が通常状態である場合に、切替手段による切替を禁止するための切替の禁止の指示が有るかどうかを判断する判断手段、判断手段において、切替の禁止の指示が有ると判断された場合、切替手段による切替を一時的に禁止する禁止手段、および画像形成装置におけるジョブが終了したときに、禁止手段によって禁止された切替の禁止を解除する解除手段として機能させる。
【００２６】
第１０の発明は、消費電力が所定値以下に制限される省電力状態および消費電力が制限されない通常状態を有する画像形成装置の制御プログラムであって、画像形成装置のコンピュータを、所定の条件を満たす場合に、画像形成装置を通常状態と省電力状態との間で切り替える切替を行う切替手段、画像形成装置が通常状態である場合に、切替手段による切替を禁止するための切替の禁止の指示が有るかどうかを判断する判断手段、判断手段において、切替の禁止の指示が有ると判断された場合、所定時間が経過するまで切替手段による切替を禁止する禁止手段、および所定時間が経過したときに、禁止手段によって禁止された切替の禁止を解除する解除手段として機能させる。
【００２７】
第１１の発明は、消費電力が所定値以下に制限される省電力状態および消費電力が制限されない通常状態を有する画像形成装置の制御方法であって、画像形成装置のコンピュータは、（ａ）所定の条件を満たす場合に、画像形成装置を通常状態と省電力状態との間で切り替える切替を行うステップ、（ｂ）画像形成装置が通常状態である場合に、ステップ（ａ）での切替を禁止するための切替の禁止の指示が有るかどうかを判断するステップ、（ｃ）ステップ（ｂ）で切替の禁止の指示が有ると判断された場合、ステップ（ａ）での切替を一時的に禁止するステップ、そして（ｄ）画像形成装置におけるジョブが終了したときに、ステップ（ｃ）で禁止された切替の禁止を解除するステップを含む。
【００２８】
第１２の発明は、消費電力が所定値以下に制限される省電力状態および消費電力が制限されない通常状態を有する画像形成装置の制御方法であって、画像形成装置のコンピュータは、（ａ）所定の条件を満たす場合に、画像形成装置を通常状態と省電力状態との間で切り替える切替を行うステップ、（ｂ）画像形成装置が通常状態である場合に、ステップ（ａ）での切替を禁止するための切替の禁止の指示が有るかどうかを判断するステップ、（ｃ）ステップ（ｂ）で切替の禁止の指示が有ると判断された場合、ステップ（ａ）での切替を所定時間が経過するまで禁止するステップ、そして（ｄ）所定時間が経過したときに、ステップ（ｃ）で禁止された切替の禁止を解除するステップを含む。
【００２９】
第９ないし第１２の各発明においても、第１または第５の発明と同様に、無駄な電力を消費してしまうことを防止し、効率的に省電力化を図ることができる。
【発明の効果】
【００３０】
この発明によれば、効率的に省電力化を図ることができる。
【図面の簡単な説明】
【００３１】
【図１】図１はこの発明の一実施例である画像形成装置の外観を示す斜視図である。
【図２】図２は図１に示す画像形成装置の電気的な構成を示すブロック図である。
【図３】図３はホーム画面の一例を示す図解図である。
【図４】図４は図２に示すＲＡＭのメモリマップの一例を示す図解図である。
【図５】図５は図１に示す画像形成装置の電源制御処理の一例を示すフロー図である。
【図６】図６は第３実施例の選択画面の一例を示す図解図である。
【図７】図７は第３実施例の電源制御処理の一例を示すフロー図である。
【発明を実施するための形態】
【００３２】
［第１実施例］
図１はこの発明の一実施例である画像形成装置１０の外部構成を斜め上方から見た斜視図である。
【００３３】
図１を参照して、第１実施例では、画像形成装置１０は、複写機能、プリンタ機能、スキャナ機能およびファクシミリ機能などを有する複合機（ＭＦＰ：Multifunction Peripheral）である。なお、この発明は複合機だけでなく、複写機（コピー機）、印刷装置（プリンタ）およびファクシミリのような他の画像形成装置に適用可能である。
【００３４】
画像形成装置１０は、画像読取部３０、画像形成部３２、手差し給紙部３４および給紙装置３８を含む装置本体３６を備える。
【００３５】
画像読取部３０は、透明材によって形成される原稿載置台を備え、装置本体３６に内蔵される。原稿載置台の上方には、ヒンジ等を介して原稿押えカバー３０ａが開閉自在に取り付けられる。この原稿押えカバー３０ａには、手差し給紙部３４が設けられる。また、原稿押えカバー３０ａには、手差し給紙部３４に載置された原稿を自動的に給紙するＡＤＦ（自動原稿送り装置）が設けられる。
【００３６】
また、画像読取部３０は、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００３７】
画像形成部３２は、装置本体３６に内蔵され、画像読取部３０の下方に設けられる。この画像形成部３２は、露光ユニット、現像器、プロセスユニット、中間転写ベルトユニット、転写ローラおよび定着ユニットなどを備える。また、画像形成部３２は、画像形成部３２の下方に設けられた給紙装置３８などから搬送される記録媒体（用紙）上に画像を形成し、画像形成済みの用紙を排紙トレイ４０に排出する。画像形成に用いる画像データとしては、画像読取部３０によって原稿から読み取った画像データまたは外部から入力される画像データなどが用いられる。
【００３８】
また、画像形成装置１０において扱われる形成画像データは、ブラック（Ｋ）、シアン（Ｃ）、マゼンタ（Ｍ）およびイエロー（Ｙ）の４色のカラー画像に応じたものである。このため、現像器、感光体ドラム、クリーナユニットおよび帯電器のそれぞれは、各色に応じた４種類の潜像を形成するように４個ずつ設けられ、これらによって４つの画像ステーションが構成される。
【００３９】
感光体ドラムは、導電性を有する円筒状の基体の表面に感光層が形成された像担持体であり、帯電器は、この感光体ドラムの表面を所定の電位（たとえば、−６００Ｖ）に帯電させる部材である。また、露光ユニットは、レーザ出射部および反射ミラー等を備えたレーザスキャニングユニット(Laser scanning unit : LSU)として構成され、帯電された感光体ドラムの表面を露光することによって、形成画像データに応じた静電潜像を感光体ドラムの表面に形成する。現像器は、感光体ドラムの表面に形成された静電潜像を４色（ＹＭＣＫ）のトナーによって顕像化するものである。また、クリーナユニットは、現像および画像転写後における感光体ドラムの表面に残留したトナーをクリーニングブレードで除去し、除去したトナーを廃トナーボックス（図示せず）に搬送する。
【００４０】
中間転写ベルトユニットは、中間転写ベルト、駆動ローラ、従動ローラおよび４つの中間転写ローラ等を備え、感光体ドラムの上方に配置される。中間転写ベルトは、各感光体ドラムに接触するように設けられており、中間転写ローラを用いて、各感光体ドラムに形成された各色のトナー像を中間転写ベルトに順次重ねて転写することによって、中間転写ベルト上に多色のトナー像が形成される。また、駆動ローラの近傍には、転写ローラが配置されており、中間転写ベルトと転写ローラとの間のニップ域を用紙が通過することによって、中間転写ベルトに形成されたトナー像が用紙に転写される。
【００４１】
定着ユニットは、ヒートローラおよび加圧ローラを備え、転写ローラの上方に配置される。ヒートローラは、所定の定着温度となるように設定されており、ヒートローラと加圧ローラとの間のニップ域を用紙が通過することによって、用紙に転写されたトナー像が溶融、混合および圧接されて、用紙に対してトナー像が熱定着される。
【００４２】
また、画像読取部３０の前面側には、操作パネル２６が設けられる。操作パネル２６は、タッチパネル２０付きのディスプレイ（表示手段）２２および複数の操作ボタン２６ａを含む。
【００４３】
タッチパネル２０付きのディスプレイ２２には、各種設定または印刷指示などをユーザから受け付けるためのソフトウェアキーおよびメッセージ等が表示される。一例として、ディスプレイ２２には、画像形成装置１０が実行可能な各種のジョブから所望のジョブを選択するための画面であるホーム画面１００（図３参照）が表示される。ただし、この第１実施例では、ジョブは、コピー（原稿のスキャンを含む）、印刷およびファックスの送信などを意味する。
【００４４】
操作ボタン２６ａは、ハードウェアキーであって、たとえば、ホームキー、省電力キーおよび主電源キーなどが含まれる。ホームキーは、ホーム画面１００を表示させるためのキーである。省電力キーは、消費電力が制限される省電力状態（省電力モード）と、消費電力が制限されない通常状態（通常モード）とを切り替えるためのキーである。この省電力キーが選択された場合には、通常モードにおいては省電力モードに切り替わり、省電力モードにおいては通常モードに切り替わる。主電源キーは、画像形成装置１０の主電源をオン／オフするためのキーである。
【００４５】
なお、ソフトウェアキーとは、たとえばタッチパネル２０付きのディスプレイ２２の表示面上にソフトウェア的に再現されたキーのことを言う。これに対して、ハードウェアキーとは、物理的な装置として設けられたキー（ボタン）のことを言う。
【００４６】
図２は図１に示す画像形成装置１０の電気的な構成を示すブロック図である。図２を参照して、画像形成装置１０はＣＰＵ１２を含む。ＣＰＵ１２には、バス６０を介してＲＡＭ１４、タッチパネル制御回路１６、表示制御回路１８、操作ボタン検出回路２４、画像読取部３０、画像形成部３２および電源制御回路４２が接続される。また、タッチパネル制御回路１６にはタッチパネル２０が接続され、表示制御回路１８にはディスプレイ２２が接続され、操作ボタン検出回路２４には操作ボタン２６ａが接続される。
【００４７】
ＣＰＵ１２は、画像形成装置１０の全体的な制御を司る。ＲＡＭ１４は、ＣＰＵ１２のワーク領域およびバッファ領域として用いられる。
【００４８】
タッチパネル制御回路１６は、タッチパネル２０に必要な電圧などを付与するとともに、タッチパネル２０のタッチ有効範囲内でのタッチ操作（タッチ入力）を検出して、そのタッチ入力の位置を示すタッチ座標データをＣＰＵ１２に出力する。
【００４９】
タッチパネル２０は、汎用のタッチパネルであり、静電容量方式、電磁誘導方式、抵抗膜方式、赤外線方式など、任意の方式のものを用いることができる。この第１実施例では、タッチパネル２０としては、静電容量方式のタッチパネルが用いられ、ディスプレイ２２の表示面上にタッチパネル２０が設けられる。ただし、タッチパネル２０とディスプレイ２２とが一体的に形成されたタッチパネルディスプレイが用いられてもよい。
【００５０】
表示制御回路１８は、ＧＰＵおよびＶＲＡＭなどを含んでおり、ＣＰＵ１２の指示の下、ＧＰＵは、ＲＡＭ１４に記憶された画像生成データを用いてディスプレイ２２に種々の画面を表示するための表示画像データをＶＲＡＭに生成し、生成した表示画像データをディスプレイ２２に出力する。ディスプレイ２２としては、たとえばＬＣＤまたはＥＬ（Electro-Luminescence）ディスプレイなどを用いることができる。
【００５１】
操作ボタン検出回路２４は、上述した操作ボタン２６ａの操作に応じた操作信号ないし操作データをＣＰＵ１２に出力する。
【００５２】
電源制御回路４２は、ＣＰＵ１２の指示に従って、画像形成装置１０の各コンポーネントに電源（電力）を供給するための制御回路である。電源制御回路４２は、商用電源を降圧および整流し、各コンポーネントに応じた所定の直流電圧を供給および停止する。
【００５３】
ＣＰＵ１２は、少なくとも画像形成装置１０の動作状態を制御する。第１実施例では、画像形成装置１０は、上述した省電力モードおよび通常モードの動作状態を有する。たとえば、通常モードでは、ＣＰＵ１２は、電源制御回路４２を制御して、画像形成装置１０の全コンポーネントに電源を供給する。通常モードは、画像形成装置１０の主電源がオンされた場合および省電力モードから通常モードに切り替わった場合に設定される。
【００５４】
省電力モードでは、ＣＰＵ１２は、電源制御回路４２を制御して、当該ＣＰＵ１２、操作ボタン検出回路２４および操作ボタン２６ａなどに電源を供給する。ただし、省電力モードでは、画像形成装置１０の消費電力が予め設定される所定値（たとえば、最大消費電力量の数パーセント）以下になるように制御される。したがって、省電力モードにおいて電源が供給されるコンポーネントの種類および数は、所定値の大きさおよび各コンポーネントの消費電力の大きさを考慮して決定される。たとえば、省電力モードにおいて、ディスプレイ２２のバックライトは消灯され、各種のソフトウェアキーも表示されない状態となる。画像形成装置１０がネットワークに接続される場合には、省電力モードにおいても当該ネットワークに接続するための接続回路にも電源が供給される。
【００５５】
ただし、第１実施例の画像形成装置１０では、通常モードから省電力モードに切り替えるための第１所定時間（たとえば、２０〜３０秒）が予め設定されている。このため、通常モードにおいて、ユーザ操作が無い状態が継続している時間が第１所定時間を超えたことに応じて、画像形成装置１０は、自動的に通常モードから省電力モードに切り替わる。ただし、ユーザ操作とは、画像形成装置１０の各部への操作を意味する。たとえば、ユーザ操作には、ユーザがタッチパネル２０をタッチする操作、ユーザが操作ボタン２６ａを選択する操作、ユーザが原稿載置台またはＡＤＦに原稿をセットする操作、ユーザが原稿押えカバー３０ａを開ける操作およびユーザが排紙トレイ４０から用紙を取り出す操作などが含まれる。
【００５６】
また、画像形成装置１０に接続される課金装置が設けられる場合、ユーザ操作には、ユーザが課金装置にお金を投入する操作およびユーザが課金装置にプリペイドカードを挿入する操作などが含まれる。
【００５７】
さらに、画像形成装置１０が、記録媒体を装着可能な接続部を備える場合、ユーザ操作には、ユーザが記録媒体を接続部に装着する操作が含まれる。
【００５８】
省電力モードにおいては、ユーザ操作があったときに、画像形成装置１０が操作されたことに応じて、自動的に省電力モードから通常モードに切り替わる。
【００５９】
ただし、省電力モードから通常モードに切り替わる場合のユーザ操作には、ユーザがタッチパネル２０をタッチする操作は含まれない。上述したように、省電力モードにおいては、ディスプレイ２２のバックライトが消灯され、各種のソフトウェアキーが表示されない状態となるからである。
【００６０】
さらに、第１実施例の画像形成装置１０には、通常モードから省電力モードへの切替を禁止するためのソフトウェアキー（以下、「省電力禁止アイコン」という）１０２が設けられる。
【００６１】
図３は、ホーム画面１００の一例を示す図解図である。ホーム画面１００は、上述したように、各種のジョブを選択するための画面である。このホーム画面１００には、コピー、プリント、ファクシミリおよびスキャンなどの各ジョブを選択するためのソフトウェアキー（アイコン）の画像および各ジョブにおける操作画面（設定画面）を表示するためのソフトウェアキーの画像が表示される。上述したように、省電力禁止アイコン１０２は、ディスプレイ２２に表示されるホーム画面１００内に設けられる。
【００６２】
なお、省電力禁止アイコン１０２に代えて、またはこれに加えて、通常モードから省電力モードへの切替を禁止するためのハードウェアキー（省電力禁止ボタン）が設けられても良い。この場合、たとえば、操作パネル２６に設けられる複数の操作ボタン２６ａに省電力禁止ボタンが含まれる。
【００６３】
通常モードにおいて省電力禁止アイコンがタッチされると、省電力モードへの切替が禁止される。省電力モードへの切替が禁止されると、ユーザ操作が無い状態が継続している時間が第１所定時間を超えた場合であっても、省電力モードに切り替わらない。つまり、通常モードが維持される。ただし、省電力モードへの切替を禁止することに応じて、第１所定時間を大幅に延長する（たとえば１００分など）ようにしても良い。
【００６４】
従来の画像形成装置１０では、省電力モードへの切替が禁止された場合に、手差し給紙部３４の排紙部に用紙が有る状態から無い状態になったときに、省電力モードへの切替の禁止を解除するものがある。しかしながら、ユーザが手差し給紙部３４の排紙部から用紙を取り忘れた場合には、手差し給紙部３４の排紙部に用紙が有る状態が維持される。したがって、従来の画像形成装置１０では、省電力モードへの切替の禁止が解除されない可能性がある。
【００６５】
また、画像読取部３０において原稿をスキャンするだけの場合であって、ＡＤＦを使用せずに、原稿を原稿載置台上に置いてスキャンする場合には、手差し給紙部３４の排紙部に用紙が搬送されないことがある。この場合、手差し給紙部３４の排紙部に用紙が有る状態にならないので、省電力モードへの切替の禁止が解除されない。
【００６６】
このように、従来の画像形成装置では、省電力モードへの切替の禁止が解除されないことがある。省電力モードへの切替の禁止が解除されないと、無駄な電力が消費されてしまうという問題がある。
【００６７】
さらに、ユーザが原稿を確認するために、ジョブの実行中（途中）に手差し給紙部３４の排紙部から用紙が取り出されることがある。この場合、ジョブの実行中に省電力モードへの切替の禁止が解除されてしまう。このため、不適切なタイミングで通常モードから省電力モードに切り替わる可能性がある。
【００６８】
このように、不適切なタイミングで通常モードから省電力モードに切り替わると、ジョブの設定などがリセットされてしまい、最初からジョブの設定をやり直すなどユーザの手間がかかるという問題がある。
【００６９】
そこで、この第１実施例では、上記の問題を回避するために、通常モードと省電力モードとを適切に切り替え、効率的に省電力化を図ることができるようにしてある。
【００７０】
具体的には、第１実施例の画像形成装置１０は、省電力モードへの切り替えが禁止された後に、最初に実行されたジョブが終了したときに、省電力モードへの切替の禁止が解除されるようにした。
【００７１】
ただし、ジョブが終了したかどうかは、画像形成装置１０の設置場所または使用状況に応じて判断される。たとえば、画像形成装置１０が、スーパーマーケットまたはコンビニエンスストアなどの店舗に配置される場合であって、画像形成装置１０と有線または無線で通信可能に接続される課金装置（たとえばコインベンダー）が設けられる場合がある。この場合、釣銭またはプリペイドカードなどが返却されたときに、ジョブが終了したと判断されても良い。
【００７２】
また、設定されたジョブがコピーであれば、そのジョブにおいて最後に画像形成された用紙が排紙トレイ４０に排出されたときに、ジョブが終了したと判断されても良い。
【００７３】
さらに、画像形成装置１０が、各種の記録媒体（ＳＤカードまたはＵＳＢメモリなど）を装着可能な接続部（メモリスロットなど）を備える場合がある。この場合、一度接続された記録媒体が接続部から抜かれたときに、ジョブが終了したと判断されても良い。
【００７４】
さらにまた、ユーザにジョブを終了することを指示させるようにしても良い。この場合、たとえば、タッチパネル２０付きのディスプレイ２２に、ユーザにジョブを終了するかどうかの選択を促す画面を表示する。そして、ジョブを終了することを指示するソフトウェアキー（ジョブ終了キー）を表示する場合がある。この場合、ジョブ終了キーが選択され、ジョブを終了する指示を受け付けたときに、ジョブが終了したと判断される。また、ジョブの設定をリセットするためのソフトウェアキーまたはハードウェアキーを設けても良い。この場合、リセットするためのキーが選択され、リセットの指示受け付けたときに、ジョブが終了したと判断される。
【００７５】
また、画像形成装置１０の利用開始時に画像形成装置１０を利用するユーザのユーザ認証を行う場合がある。この場合、省電力モードへの切替が禁止されたときにログインしていたユーザがログアウトしたときに、ジョブが終了したと判断されても良い。
【００７６】
画像形成装置１０の上記のような動作は、ＣＰＵ１２がＲＡＭ１４に記憶された制御プログラムを実行することによって実現される。具体的な処理については、後でフロー図を用いて説明する。
【００７７】
図４は図２に示すＲＡＭ１４のメモリマップ７０の一例を示す図解図である。図４に示すように、ＲＡＭ１４は、プログラム記憶領域７２およびデータ記憶領域７４を含む。ＲＡＭ１４のプログラム記憶領域７２には、上述したように、画像形成装置１０の制御プログラムが記憶される。制御プログラムは、表示プログラム７２ａ、操作検出プログラム７２ｂ、印刷プログラム７２ｃ、電源制御プログラム７２ｄ、第１判断プログラム７２ｅ、第２判断プログラム７２ｆ、切替禁止プログラム７２ｇおよび解除プログラム７２ｈを含む。
【００７８】
表示プログラム７２ａは、表示制御回路１８を制御して、ホーム画面１００または設定画面などの各種の画面をディスプレイ２２に表示するためのプログラムである。
【００７９】
操作検出プログラム７２ｂは、画像形成装置１０の各部への操作を検出するためのプログラムである。たとえば、操作検出プログラム７２ｂは、タッチパネル２０から出力されたタッチ座標データを取得して、ディスプレイ２２に表示されるホーム画面１００などの各種の画面に含まれる各種アイコンが操作されたことを検出するためのプログラムである。また、操作検出プログラム７２ｂは、操作ボタン２６ａからの操作入力を検出するためのプログラムでもある。
【００８０】
印刷プログラム７２ｃは、後述する画像データ７４ｃなどに応じて多色または単色の画像を記録媒体（用紙）に形成するためのプログラムである。
【００８１】
電源制御プログラム７２ｄは、画像形成装置１０の各コンポーネントへの電源の供給および停止を制御するためのプログラムである。ただし、ＣＰＵ１２は、電源制御プログラム７２ｄに従って電源制御回路４２を制御する。上述したように、通常モードでは、ＣＰＵ１２は、電源制御プログラム７２ｄに従って、画像形成装置１０の全てのコンポーネントに電源を供給するように電源制御回路４２を制御する。一方、省電力モードでは、ＣＰＵ１２は、電源制御プログラム７２ｄに従って、画像形成装置１０の一部のコンポーネントへの電源を停止するように電源制御回路４２を制御する。
【００８２】
第１判断プログラム７２ｅは、画像形成装置１０が操作されない状態が継続している時間が第１所定時間を超えたかどうかを判断するためのプログラムでもある。
【００８３】
第２判断プログラム７２ｆは、画像形成装置１０で実行されるジョブが終了したかどうかを判断するためのプログラムでもある。
【００８４】
切替禁止プログラム７２ｇは、操作検出プログラム７２ｂに従って、省電力禁止アイコン１０２がタッチされたことが検出された場合に、通常モードから省電力モードへの切替を禁止するためのプログラムである。
【００８５】
解除プログラム７２ｈは、切替禁止プログラム７２ｇに従って、通常モードから省電力モードへの切替が禁止された後に、第２判断プログラム７２ｆに従って最初に実行されたジョブが終了したことが判断されたときに、通常モードから省電力モードへの切替の禁止を解除するためのプログラムである。
【００８６】
なお、図示は省略するが、プログラム記憶領域７２には、各種の機能を選択および実行するためのプログラムなども記憶される。
【００８７】
ＲＡＭ１４のデータ記憶領域７４には、タッチ座標データ７４ａ、操作画面データ７４ｂ、画像データ７４ｃ、タイマ７４ｄおよび禁止フラグ７４ｅなどが記憶される。
【００８８】
タッチ座標データ７４ａは、操作検出プログラム７２ｂに従って検出（取得）されたタッチ座標データである。検出されたタッチ座標データ７４ａは、時系列に従って記憶される。
【００８９】
操作画面データ７４ｂは、ディスプレイ２２に表示されるホーム画面１００などの各種の操作画面についての画像データである。
【００９０】
画像データ７４ｃは、上述したように、画像読取部３０によって原稿から読み取られた画像データまたは外部から入力される画像データなどである。
【００９１】
タイマ７４ｄは、通常モードにおいてユーザ操作が無い状態が継続している時間をカウントするためのタイマであり、図示は省略するが、画像形成装置１０の内部（ＣＰＵ１２またはＲＡＭ１４）に設けられる。
【００９２】
禁止フラグ７４ｅは、通常モードから省電力モードへの切替が禁止されているかどうかを示すフラグである。たとえば、禁止フラグ７４ｅは１ビットのレジスタで構成される。この禁止フラグ７４ｅがオンのとき通常モードから省電力モードへの切替が禁止され、禁止フラグ７４ｅがオフのとき通常モードから省電力モードへの切替が許可される。
【００９３】
なお、図示は省略するが、データ記憶領域７４には、操作パネル２６の操作ボタン２６ａからの操作データなど、制御プログラムの実行に必要な他のデータが記憶されたり、制御プログラムの実行に必要なレジスタが設けられたりする。
【００９４】
図５は図１に示す画像形成装置１０の電源制御処理の一例を示すフロー図である。ただし、電源制御処理は、画像形成装置１０が通常モードが設定された場合に開始される。また、電源制御処理の開始時には、禁止フラグ７４ｅはオフである。
【００９５】
図５に示すように、ＣＰＵ１２は、電源制御処理を開始すると、ステップＳ１で、タイマ７４ｄをリセットおよびスタートし、ステップＳ３で、ディスプレイ２２にホーム画面１００を表示する。
【００９６】
続くステップＳ５で、ユーザ操作が有るかどうかを判断する。ステップＳ５で“ＹＥＳ”であれば、つまり、ユーザ操作が有ると判断した場合は、ステップＳ７で、省電力モードへの切替の禁止の指示であるかどうかを判断する。
【００９７】
ステップＳ７で“ＹＥＳ”であれば、つまり、省電力モードへの切替の禁止の指示であると判断した場合は、ステップＳ９で、省電力モードへの切替を禁止し、ステップＳ１１へ進む。ただし、ステップＳ９では、ＣＰＵ１２は、禁止フラグ７４ｅをオンする。ステップＳ１１では、ジョブが終了したかどうかを判断する。つまり、ＣＰＵ１２は、省電力モードへの切替が禁止された後に、最初に実行されたジョブが終了したかどうかを判断する。
【００９８】
ステップＳ１１で“ＮＯ”であれば、つまり、ジョブが終了していないと判断した場合は、同じステップＳ１１に戻る。一方、ステップＳ１１で“ＹＥＳ”であれば、つまり、ジョブが終了したと判断した場合は、ステップＳ１３で、省電力モードへの切替の禁止を解除して、ステップＳ１に戻る。ただし、ステップＳ１３では、ＣＰＵ１２は、禁止フラグ７４ｅをオフする。
【００９９】
また、ステップＳ７で“ＮＯ”であれば、つまり、省電力モードへの切替の禁止の指示が無いと判断した場合は、ステップＳ１５で、その他の処理を実行して、ステップＳ１に戻る。その他の処理としては、ユーザの指示に従って各ジョブが選択されたり、各ジョブにおける各種の設定が行われたり、各ジョブが開始されたり停止されたりすることが該当する。
【０１００】
また、ステップＳ５で“ＮＯ”であれば、つまり、ユーザ操作が無いと判断した場合は、ステップＳ１７で、第１所定時間が経過したかどうかを判断する。具体的には、ＣＰＵ１２は、タイマ７４ｄのカウント値が第１所定時間を超えたかどうかを判断する。
【０１０１】
ステップＳ１７で“ＮＯ”であれば、つまり、第１所定時間が経過していないと判断した場合は、ステップＳ３に戻る。一方、ステップＳ１７で“ＹＥＳ”であれば、つまり、第１所定時間が経過したと判断した場合は、ステップＳ１９で、省電力モードに切り替える。
【０１０２】
続くステップＳ２１で、ユーザ操作が有るかどうかを判断する。ステップＳ２１で“ＮＯ”であれば、つまり、ユーザ操作が無いと判断した場合は、同じステップＳ２１に戻る。この場合、省電力モードが継続される。また、ステップＳ２１で“ＹＥＳ”であれば、つまり、ユーザ操作が有ると判断した場合は、ステップＳ２３で、通常モードに切り替えて、ステップＳ１に戻る。
【０１０３】
なお、第１実施例では、省電力モードへの切替の禁止が解除されたときに、ステップＳ１に戻るため、タイマ７４ｄがリセットされる。このため、省電力モードへの切替の禁止が解除されたときからユーザ操作が無い状態が継続している時間が第１所定時間を超えたときに、通常モードから省電力モードへ切り替わる。
【０１０４】
この第１実施例によれば、省電力モードへの切り替えが禁止された後に、最初に実行されたジョブが終了したときに、省電力モードへの切替の禁止が解除されるので、確実に省電力モードへの切替の禁止が解除される。したがって、無駄な電力を消費してしまうことを防止し、効率的に省電力化を図ることができる。
【０１０５】
また、第１実施例によれば、少なくとも最初のジョブが終了するまでは省電力モードへ切り替えられることはないので、最初のジョブが終了するまでジョブの設定などがリセットされたりすることがなく、使い勝手が良い。
［第２実施例］
第２実施例の画像形成装置１０では、省電力モードへの切り替えが禁止された後に、所定時間が経過したときに、省電力モードへの切替の禁止が解除されるようにした以外は第１実施例の画像形成装置１０と同じであるため、異なる内容について詳細に説明し、重複する内容については説明を省略する、または、簡単に説明することにする。
【０１０６】
第２実施例の画像形成装置１０では、ＣＰＵ１２は、省電力モードへの切替が禁止された場合に、タイマ７４ｄのカウント値を参照して、第１所定時間よりも長い所定時間（以下、「第２所定時間」という。）が経過したかどうかを判断する。そして、ＣＰＵ１２は、省電力モードへの切り替えが禁止されてから第２所定時間が経過した場合には、省電力モードへの切替の禁止を解除する。
【０１０７】
ただし、第２所定時間は、ユーザが画像形成装置１０の使用を終了するのに充分な時間に設定される。ユーザが画像形成装置１０を操作するのに充分な時間とは、画像形成装置１０の操作に不慣れなユーザが、戸惑いながら画像形成装置１０を操作する場合でも、画像形成装置１０の操作中に省電力モードへの切替の禁止が解除されない程度の時間のことである。たとえば、第２所定時間は、５分以上に設定される。
【０１０８】
つまり、この第２実施例では、ＣＰＵ１２は、第１実施例で示した電源制御処理のステップＳ１１において、ジョブが終了したかどうかを判断することに代えて、第２所定時間が経過したかどうかを判断する。ＣＰＵ１２は、第２所定時間が経過していないと判断した場合は、同じステップＳ１１に戻る。一方、ＣＰＵ１２は、第２所定時間が経過したと判断した場合は、ステップＳ１３で、省電力モードへの切替の禁止を解除して、ステップＳ１に戻る。
【０１０９】
この第２実施例によれば、省電力モードへの切り替えが禁止された後に、第２所定時間が経過したときに、省電力モードへの切替の禁止が解除されるので、ユーザが画像形成装置１０の使用を終了した場合に確実に省電力モードへの切替の禁止が解除される。したがって、無駄な電力を消費してしまうことを防止することができる。
【０１１０】
また、第２実施例によれば、第２所定時間が、ユーザが画像形成装置１０の使用を終了するのに充分な時間に設定されているので、ユーザが画像形成装置１０を操作している途中に省電力モードへ切り替えられて、ジョブの設定などがリセットされたりすることがない。したがって、使い勝手が良い。
［第３実施例］
第３実施例の画像形成装置１０では、通常モードが設定されたときに、省電力モードへの切替の禁止の指示をするかどうかをユーザに選択させるようにした以外は、第１実施例と同じであるため、異なる内容について説明し、重複した説明については省略する、または簡単に説明することにする。
【０１１１】
第３実施例の画像形成装置１０では、通常モードが設定されたときに、省電力モードへの切替の禁止の指示をするための選択画面１０４がディスプレイ２２に表示される。ただし、通常モードが設定されたときとは、画像形成装置１０の主電源がオンされたときおよび省電力モードから通常モードに切り替わったときを意味する。
【０１１２】
図６は第３実施例の選択画面１０４の一例を示す図解図である。図６に示すように、選択画面１０４には、省電力モードへの切替を禁止するかどうかの判断を促すためのメッセージが表示される。また、選択画面１０４には、省電力モードへの切替の禁止を指示する“はい”ボタン１０４ａおよび省電力モードへの切替の禁止を指示しない“いいえ”ボタン１０４ｂが表示される。
【０１１３】
選択画面１０４において“はい”ボタン１０４ａが選択された場合、つまり、ユーザに省電力モードへの切替の禁止の指示をする意思がある場合には、省電力モードへの切替を禁止して、図３に示したホーム画面１００を表示する。上述したように、省電力モードへの切替が禁止されると、ホーム画面１００が表示されてから最初のジョブが終了するまでは、省電力モードへ切り替えられることがない。
【０１１４】
また、選択画面１０４において“いいえ”ボタン１０４ｂが選択された場合、つまり、ユーザに省電力モードへの切替の禁止の指示をする意思がない場合は、省電力モードへの切替を禁止せずに、ホーム画面１００を表示する。この場合、上述したように、ユーザ操作が無い状態が継続している時間が第１所定時間を超えた場合には、自動的に通常モードから省電力モードに切り替わる。
【０１１５】
図７は第３実施例の電源制御処理の一例を示すフロー図である。この電源制御処理は、第１実施例と同様に、画像形成装置１０が省電力モードである場合に実行される。なお、第１実施例の電源制御処理（図５）で説明した処理と同じ処理については、説明を省略するまたは簡単に説明することにする。
【０１１６】
図７に示すように、ＣＰＵ１２は、電源制御処理を開始すると、ステップＳ１で、タイマ７４ｄをリセットおよびスタートし、ステップＳ３１で、ディスプレイ２２に選択画面１０４を表示させる。
【０１１７】
続くステップＳ３３で、ＣＰＵ１２は、省電力モードへの切替の禁止が選択されたかどうかを判断する。ここでは、ＣＰＵ１２は、操作検出プログラム７２ｂに従って検出されたタッチ座標データ７４ａを取得して、選択画面１０４の“はい”ボタン１０４ａがタッチされたかどうかを判断する。
【０１１８】
ステップＳ３３で“ＹＥＳ”であれば、つまり、選択画面１０４の“はい”ボタン１０４ａがタッチされた場合は、ステップＳ９（図５参照）に進み、省電力モードへの切替を禁止する。
【０１１９】
また、ステップＳ３３で“ＮＯ”であれば、つまり、選択画面１０４の“はい”ボタン１０４ａがタッチされない（選択画面１０４の“いいえ”ボタン１０４ｂがタッチされた）場合は、ステップＳ３（図５参照）に進み、省電力モードへの切替を禁止せずに、ディスプレイ２２にホーム画面１００を表示させる。
【０１２０】
なお、ステップＳ３以降の処理の内容については、第１実施例と同じであるので説明を省略する。
【０１２１】
この第３実施例によれば、通常モードが開始されたときに、省電力モードへの切替の禁止の指示をするかどうかをユーザに選択させるので、初めて画像形成装置１０を利用するユーザが、簡単に省電力モードへの切替の禁止の指示を行うことができる。
【０１２２】
なお、第３実施例に示した態様は、第２実施例にも組み合わせて採用することが可能である。この場合、省電力モードへの切替の禁止が選択されたときに、第２所定時間の設定を行うための画面をディスプレイ２２に表示して、省電力モードへの切替の禁止が解除されるまでの第２所定時間をユーザに設定させるようにしても良い。ただし、２分、３分および５分など、第２所定時間の候補を予め設定しておき、その候補の中から第２所定時間をユーザに選択させるようにしても良い。
【０１２３】
また、上述の実施例で挙げた具体的な数値、画面構成等は一例であり、実際の製品に応じて適宜変更することが可能である。
【０１２４】
さらに、上述の実施例で示したフロー図の各ステップは、同じ結果が得られるのであれば、処理される順番は適宜変更することが可能である。
【符号の説明】
【０１２５】
１０  …画像形成装置
１２  …ＣＰＵ
１４  …ＲＡＭ
２０  …タッチパネル
２２  …ディスプレイ
２６  …操作パネル
２６ａ…操作ボタン
３６  …装置本体
４０  …排紙トレイ
【図１】
2018013548.tif 000003
【図２】
2018013548.tif 000004
【図３】
2018013548.tif 000005
【図４】
2018013548.tif 000006
【図５】
2018013548.tif 000007
【図６】
2018013548.tif 000008
【図７】
2018013548.tif 000009